(57)【要約】      （修正有）【課題】保管、運搬の際のスペースを最小化でき、更に部品の取り付け作業も容易なパチスロ機用キャビネットを提供する。【解決手段】背板５と、背板５の左右側端部に背板５の面と直交する方向に向けてそれぞれ連結した左右側板３と、左右側板３と背板５で形成された空間の上部開口を閉鎖した天板４と、左右側板３と背板５で形成された空間の下部開口を閉鎖した底板２とで構成する。天板４及び底板２のそれぞれを左右側板３に対して着脱自在に連結し、背板５と左右側板３における互いに連結される箇所をテーパー状に形成し、背板５と左右側板３を、背板５と左右側板３の外側面を被覆したシート材によって連結し、背板５と左右側板３を、互いの面が同一方向に向いた状態と、互いの面が直交する方向に向いた状態のいずれの状態にすることも可能にする。【選択図】図２
0003145415.tif 000002
【実用新案登録請求の範囲】
【請求項１】
背板（５）と、該背板（５）の左右側端部に背板（５）の面と直交する方向に向けてそれぞれ連結した左右側板（３）と、該左右側板（３）と前記背板（５）で形成された空間の上部開口を閉鎖した天板（４）と、前記左右側板（３）と背板（５）で形成された空間の下部開口を閉鎖した底板（２）と、で構成された、前面を開口とした箱形のパチスロ機用キャビネットにおいて、
前記天板（４）及び底板（２）のそれぞれを、前記左右側板（３）又は／及び背板（５）に対して着脱自在にして連結し、
前記背板（５）と左右側板（３）における互いに連結される箇所（１５）をテーパー状に形成するとともに、前記背板（５）と左右側板（３）を、前記背板（５）と左右側板（３）の外側面を被覆したシート材（１６）によって連結し、
前記背板（５）と左右側板（３）を、互いの面が同一方向に向いた平板状態で連結されている状態と、互いの面が直交する方向に向いた組み立てた状態と、のいずれの状態にすることも可能にしたことを特徴とするパチスロ機用キャビネット。
【請求項２】
前記シート材（１６）が塩ビシートであることを特徴とする請求項１に記載のパチスロ機用キャビネット。
【請求項３】
前記底板（２）に、底板（２）を貫通した嵌合孔（６０１）を有する嵌合溝（６）を形成するとともに、取付孔（７０３）を有する第１の板材（７）を前記嵌合溝（６）に着脱自在に嵌合させた、ことを特徴とする請求項１又は請求項２に記載のパチスロ機用キャビネット。
【考案の詳細な説明】
【技術分野】
【０００１】
本考案は、背板、左右側板、天板、及び底板とで構成された前面を開口とした箱形のパチスロ機用キャビネットにおいて、背板及び左右側板と、天板と、底板との３パーツで構成するとともに、背板と左右側板を、連結した状態でフラットな平板状態にすることを可能にし、これにより、組み立てを容易にするとともに、保管、運搬の際のスペースを小さくすることを可能にしたパチスロ機用キャビネットに関する。
【背景技術】
【０００２】
パチンコ型のスロットマシン（以下、「パチスロ 機」という）等の遊技機は一般に、複数のリールを備えたリール装置や、パチスロ 機を電気的に制御するための制御装置、多数枚数のメダルを収容するホッパー等のメダル払出装置などの装置本体をキャビネット内に収納して構成されている。
【０００３】
そして、従来、パチスロ機用のキャビネットは一般的に、前面を開口とした箱形とされ、背板と、この背板の左右側端部に背板の面と直交する方向に向けてそれぞれ連結した左右側板と、左右側板と背板で形成された空間の上部開口を閉鎖した天板と、左右側板と背板で形成された空間の下部開口を閉鎖した底板とで構成されている。
【０００４】
ところで、従来のパチスロ機用キャビネットでは、背板、左右側板、天板、及び底板はそれぞれ、木工用ボンド等の接着材等によって互いに固着されていた。そのため、組み立てに際しては、背板、左右側板、天板、底板の連結部分に木工用ボンド等の液体を塗布する必要があるとともに、ボンドが固まるまでタッカー等により仮止めする必要もあり、組み立て作業に際して手間がかかるとともに、接着剤塗布用の装置やタッカーによる仮止め用の装置が必要となり、コストがかかっていた。
【０００５】
このように、従来のパチスロ機用キャビネットは、組み立て作業に手間、設備等を必要としていたため、専門の工場で組み立てて、組み立てた状態で保管、運搬することが一般的であり、そのために、保管スペース、運搬の際のスペースが大きくなってしまい、保管、運搬コスト等も高くなっていた。
【０００６】
更に、従来から、パチスロ機又はパチスロ機用のキャビネットは再利用されることが行われているが、外面を塗装していた従来のキャビネットでは、使用により塗装面が劣化してしまうため、それにより、再利用可能な回数が少なくなっていた。
【０００７】
更にまた、一般的にパチスロ機用キャビネットは、その内部に、リールを固定するためのリール棚や、防犯のための板金類等が取り付けられるが、このとき、従来のキャビネットを用いた場合には、箱形のキャビネットの中にこれらの部品を取り付けなければならないために、取付作業が面倒であるという問題点も指摘されていた。
【０００８】
この点、蝶番等を用いてキャビネットを組み立て自在にする方法も考えられるが、蝶番の取り付け等が大変であるとともに、部品点数及びそのためのコストも上がってしまうという問題点が指摘できる。
【特許文献１】特開２００７−３１３２３７号公報
【考案の開示】
【考案が解決しようとする課題】
【０００９】
そこで、本考案は、組み立てを容易にすることにより、保管、運搬の際のスペースを最小限にすることもでき、また、再利用回数を多くすることができ、更に部品の取り付け作業も容易にしたパチスロ機用キャビネットを提供することを課題としている。
【課題を解決するための手段】
【００１０】
本考案のパチスロ機用キャビネットは、背板と、該背板の左右側端部に背板の面と直交する方向に向けてそれぞれ連結した左右側板と、該左右側板と背板で形成された空間の上部開口を閉鎖した天板と、前記左右側板と背板で形成された空間の下部開口を閉鎖した底板と、で構成された、前面を開口とした箱形のパチスロ機用キャビネットにおいて、
前記天板及び底板のそれぞれを、前記左右側板又は／及び背板に対して着脱自在にして連結し、
前記背板と左右側板における互いに連結される箇所をテーパー状に形成するとともに、前記背板と左右側板を、前記背板と左右側板の外側面を被覆したシート材によって連結し、
前記背板と左右側板を、互いの面が同一方向に向いた平板状態で連結されている状態と、互いの面が直交する方向に向いた組み立てた状態と、のいずれの状態にすることも可能にしたことを特徴としている。
【考案の効果】
【００１１】
本考案のパチスロ機用キャビネットでは、天板及び底板のそれぞれを着脱自在とし、前記背板と左右側板における互いに連結される箇所をテーパー状に形成し、更に、前記背板と左右側板を、前記背板と左右側板の外側面を被覆したシート材によって連結しており、前記背板と左右側板を、互いの面が同一方向に向いた平板状態で連結されている状態と、互いの面が直交する方向に向いた組み立てた状態とのいずれにすることも可能にしている。即ち、本考案のパチスロ機用キャビネットでは、キャビネット全体を、天板と、底板と、背板及び左右側板と、の３つのパーツから構成しているとともに、天板、底板と同様に、背板及び左右側板で構成されるパーツをも平板状にすることを可能とし、これによって、すべてのパーツを平板状にすることを可能としている。
【００１２】
そのために、本考案のパチスロ機用キャビネットでは、木工用の液体状のボンドを用いて組み立てる従来のパチスロ機用キャビネットと異なり、背板と左右側板を互いの面が直交する方向に向いた組み立てた状態にした後に、天板及び底板のそれぞれを装着することのみで組み立てることができ、組み立てが容易であるために、組み立てる前の、各パーツの状態で保管、運搬することができるとともに、その際には、すべてのパーツを平板状にできるために、保管、運搬の際の占有スペースを少なくすることができ、保管、運搬に要するコストを抑えることが可能である。
【００１３】
また、背板と左右側板の外面をシート材によって被覆しており、これにより塗装を不要としているために、塗装の場合と比較し、劣化を抑えることができるとともに、塗装を不要としているために環境にも配慮したキャビネットにすることが可能である。
【００１４】
更に、背板及び左右側板で構成されるパーツを平板状にすることができるために、この平板状にした状態でリール棚、防犯のための板金類等を取り付けることができるので、取付作業が容易である。
【００１５】
更にまた、シート材によって背板と左右側板を連結しているために、例えば蝶番等を用いた場合と比較して、部品点数及びコストの増加を抑えることが可能である。
【考案を実施するための最良の形態】
【００１６】
本考案のパチスロ機用キャビネットは、背板の左右側端部に、背板の面と直交する方向に向けてそれぞれ、左右側板を連結しており、左右側板及び背板で形成された空間の上部開口を天板で閉鎖し、更に、左右側板と背板で形成された空間の下部開口を底板で閉鎖し、全体として、前面を開口とした箱形としている。
【００１７】
そして、前記天板及び底板のそれぞれは、前記左右側板、又は／及び、背板に対して着脱自在にして連結している。
【００１８】
また、前記背板と左右側板は、互いに連結される箇所をテーパー状に形成するとともに、前記背板と左右側板の外側面を被覆した塩ビ製のシート材によって連結している。
【００１９】
そして、これにより、前記背板と左右側板を、互いの面が同一方向に向いた平板状態で連結されている状態と、互いの面が直交する方向に向いた組み立てた状態とのいずれの状態にすることも可能にしている。
【００２０】
ここで、前記底板に、底板を貫通した嵌合孔を有する嵌合溝を形成するとともに、取付孔を有する板材を前記嵌合溝に着脱自在に嵌合させ、板材に形成した取付孔を介して、パチスロ機をホールに取り付けるようにしてもよく、これによれば、ホールに取り付けることで取付孔が大きくなった場合でも、この取付孔を有する板材を交換することで、出荷時と同一のキャビネットにすることができ、一度使用したキャビネットを、同じくパチスロ機のキャビネットとして再利用することが可能となり、パチスロ機の製造コストを抑えることができる。
【実施例１】
【００２１】
本考案のパチスロ機用キャビネットの実施例について図面を参照して説明すると、図１は、本実施例のパチスロ機用キャビネットの斜視図であり、また、図２は本実施例のパチスロ機用キャビネット１を分解して示した斜視図であり、図において１が本実施例のパチスロ機用キャビネットである。
【００２２】
そして、本実施例のパチスロ機用キャビネット１は、従来のパチスロ機と同様に、背板、左右側板、天板及び底板とで構成されている。即ち、図において５が背板であり、この背板５は、略長方形状の板材により構成されており、この背板５の左右側端部には、背板５の面と直交する方向に向けて、それぞれ、左右側板３が連結されている。なお、本実施例において前記側板３はそれぞれ、上方へ行くにつれて幅寸法が徐々に狭くなるように正面側の端部をテーパー状にしており、これにより、側面形状が略台形状になるようにしている。
【００２３】
次に、前記左右側板３と前記背板５で形成された空間の上部開口は天板４で閉鎖されており、また、前記左右側板３と背板５で形成された空間の下部開口は底板２で閉鎖されており、これにより、本実施例のパチスロ機用キャビネット１は、前面を開口とした箱形の形状とされている。なお、図１において４０１は、本実施例のパチスロ機用キャビネット１をホールに取り付けるときに用いる取付孔であり、図において８はメダル回収孔である。
【００２４】
次に、図２にからも明らかなように、前記天板４及び底板２は、前記左右側板３に対して着脱自在に連結されている。
【００２５】
ここで、前記天板４と前記左右側板３との関係を説明すると、本実施例においては、取付金具を用いて、前記天板４を前記左右側板３に対して着脱自在に連結している。
【００２６】
即ち、図７が取付金具を示す斜視図であり、本実施例においては、この取付金具は、受け側の取付金具１２と挿入側の取付金具１３とで構成されている。そして、挿入側の取付金具１３は、全体を略円柱状に形成しており、基端部１３０１の先端に胴部１３０２が連設され、この胴部１３０２の先端には、先端に向けてテーパー状に径を小さくした挿入部１３０３が連設され、更に、この挿入部１３０３の先端には、径を大きくしたストッパー部１３０４を連設して構成されている。
【００２７】
一方、前記受け側の取付金具１２は、その内部に前記挿入側の取付金具１３における挿入部１３０３及びストッパー部１３０４を受け入れることが可能な受入孔１２０１を有しているとともに、この受入孔１２０１には、前記挿入部１３０３の下端部分のみが通過可能な通過溝１２０２が形成されている。
【００２８】
そして、本実施例においては、前記左右側板３のそれぞれの内側の上部２箇所に、側板３の上面に開口された挿入孔３０１を、側板３の厚み方向に向けて形成しており、この挿入孔３０１内に、前記受け側の取付金具１２を回動自在に挿装している。
【００２９】
また、前記天板４において、天板４を前記一対の側板３間に架設した際に、前記挿入孔３０１に対向する箇所に天板側挿入溝（図示せず）を形成しており、この天板側挿入溝に、前記受け側の取付金具１２に連結可能とした挿入側取付金具１３の基端部を挿装している。
【００３０】
そして、これにより、天板４を前記一対の側板３間に架設することで、挿入側の取付金具１３における胴部１３０２からストッパー部１３０４までが前記挿入孔３０１内に挿装されるとともに、更に、挿入部１３０３及びストッパー部１３０４が、受け側の取付金具１２における前記受入孔１２０１内に挿入され、この状態で受け側の取付金具１２を回転し、これにより通過溝１２０２内に前記挿入部１３０３の先端部分を嵌め込むことで、受け側の取付金具１２と挿入側の取付金具１３とを連結することが可能となり、その一方、この連結した状態において、受け側の取付金具１２を前記と逆に回転して前記挿入部１３０３の下端部分を通過溝１２０２内から外すことで、受け側の取付金具１２に対して挿入側の取付金具１３を取り外すことを可能としている。従って、本実施例のパチスロ機用キャビネット１では、これにより、左右側板３に対して天板４を着脱自在としている。
【００３１】
なお、本実施例においては、前記底板２も、同様にして左右側板３に着脱自在に連結しているが、この連結の構造は、取付金具１２、１３の配置、上下の向きが逆である以外は、前記天板４と前記左右側板３との関係とほぼ同様であるため重複した説明は省略する。
【００３２】
但し、天板４、底板２を着脱自在にする構成は特に限定されず、その他の方法によって着脱自在にしてもよい。例えば、図６は、底板２を、背板５及び左右側板３で形成される空間の内部に配設した構成を示しており、この構成では、底板２の左右側端部、及び背板側端部に図示しないピン部材を突設し、一方、左右側板３及び背板には前記ピン部材が挿入可能な挿入孔（図示せず）を形成しており、挿入孔内にピン部材を挿入することで、底板２を、背板５及び左右側板３で形成される空間の内部に配設している。そしてこの構成によれば、キャビネットの全体の剛性を高めることが可能となる。
【００３３】
次に、図３乃至図５は、前記背板５と左右側板３との関係を説明するための図であり、本実施例において前記背板５と左右側板３とは、一つのパーツを構成しており、互いの面が同一方向に向いたフラットな平板の状態で連結されているとともに、互いの面が直交する方向に向いた組み立て状態にすることを可能にしている。そして、図３は、前記背板５と左右側板３を平板状態に展開している状態を示している。また、図４は、前記背板５と左右側板３を平板状態に展開した状態の底面図を示す図であり、図５は、前記背板５と左右側板３を、互いの面が直交する方向に向くように連結した状態の底面図を示している。
【００３４】
そして、図４において、本実施例においては、前記背板５と左右側板３における互いに連結される箇所１５はそれぞれ、背板５と左右側板３のそれぞれを連結した際に互いの面が直交する方向に向くように、約４５度の角度で、テーパー状としている。即ち、前記背板５と左右側板３を平板状態に展開した際に、連結箇所にＶ字のカットが形成されるようにしており、更に、図示は省略するが、テーパー状とした面には両面テープを装備し、互いの面が直交する方向に向いた組み立て状態の際に、テーパー状の面が互いに強固に接着可能としている。
【００３５】
また、前記背板５と左右側板３の外側面で構成される面全体には、塩ビ製のシート材１６を被覆しており、このシート材１６によって前記背板５と左右側板３を連結している。そしてこれにより、前記背板５と左右側板３を、互いの面が同一方向に向いたフラットな平板の状態で連結されている状態と、互いの面が直交する方向に向いて連結されている状態のいずれの状態にすることも可能としている。即ち本実施例のパチスロ機用キャビネット１では、キャビネット全体を、天板４と、底板２と、背板５及び左右側板３で構成されるパーツの、３つのパーツに分解することができるとともに、背板５及び左右側板３で構成されるパーツは、天板４、底板２と同様に、平板状に展開することが可能である。
【００３６】
そのために、本実施例のパチスロ機用キャビネット１では、木工用の液体状のボンドを用いて組み立てる従来のパチスロ機用キャビネットと異なり、背板と左右側板を、互いの面が直交する方向に向いた組み立てた状態にし、更にテーパー面を両面テープで接着した後に、天板及び底板のそれぞれを装着することのみで組み立てることができる。
【００３７】
従って、組み立て作業が容易であるとともに、ボンド等の接着材を塗布する装置や、タッカーによる仮止め用の装置が不要であり、組み立てコストを抑えることが可能である。
【００３８】
また、組み立て作業が容易であり、更にボンド等の接着材を塗布する装置やタッカーによる仮止め用の装置が不要であるために、組み立て専門の工場等に限定されず組み立てができるため、各パーツの状態で保管、運搬することができるとともに、その際には、本実施例のパチスロ機用キャビネット１ではすべてのパーツを平板状にできるために、保管、運搬の際の占有スペースを少なくすることができ、保管、運搬に要するコストを抑えることが可能である。
【００３９】
また、背板と左右側板の外面をシート材１６によって被覆しているため、例えば色つきのシート材１６を用いることで塗装が不要となり、塗装の場合と比較して外面の劣化を抑えることができ、それにより再利用の回数を多くすることができるとともに、塗装を不要としているために環境にも配慮したキャビネットにすることが可能である。
【００４０】
更に、背板及び左右側板で構成されるパーツを平板状にすることができるために、この平板状にした状態で、リール棚、防犯のための板金類等を取り付けることができ、取付作業が容易である。
【００４１】
更にまた、シート材によって背板と左右側板を連結しているために、例えば蝶番等を用いた場合と比較して、部品点数及びコストの増加を抑えることが可能である。
【００４２】
なお、図３乃至図５には示していないが、前述したように、前記テーパー面１５には、適宜、両面テープを装着し、組み立てた後の連結状態を強固にしてもよい。
【００４３】
次に、図８は、前記底板２の他の形態を示した分解斜視図であり、本考案のパチスロ機用キャビネット１では、底板２を、図８に示すような構成としてもよい。即ち、図８においては、前記底板２の両端部近傍部分には嵌合溝６が形成されており、この嵌合溝６内にはそれぞれ、第１の板材７が着脱自在に嵌合されている。
【００４４】
ここで、前記嵌合溝６及び第１の板材７について説明すると、図９は、図８におけるＡ−Ａ線断面構造、即ち、嵌合溝６の近傍における縦断正面構造を示した断面図であり、前記嵌合溝６は、全体としてパチスロ機用キャビネット１の奥行き方向に向いた長孔状としており、前記底板２を貫通した嵌合孔６０１を有している。そして、この嵌合孔６０１の周囲には、前記底板２を厚さ寸法の１／３程度をくり抜いて形成した段差部６０２が形成されている。
【００４５】
一方、前記第１の板材７は、前記底板２と同等の厚さ寸法としており、前記嵌合孔６０２に嵌合可能な嵌合部７０１と、前記段差部６０２上に載置可能な係止部７０２とを、一体にして構成されているとともに、長手方向に沿って間隔を置いて、取付孔７０３が形成されている。
【００４６】
また、前記第１の板材７の長手方向に向いた両端側には、前記段差部６０２における嵌合溝６の長手方向に向いた両端側に形成したネジ孔とともに第１の板材７を前記嵌合溝６に嵌合させつつ取り付けるためのネジ孔７０４が形成されている。
【００４７】
そしてこれにより、前記前記取付孔７０３を介して、本実施例のパチスロ機用キャビネット１を用いたパチスロ機をホールの所定箇所に取り付けることができるとともに、取り付けによって前記取付孔７０３が出荷時よりも大きくなった場合でも、第１の板材７を交換することで、出荷時と同様の状態に戻すことが可能であり、他の機種のパチスロ機のキャビネットとして再利用することができ、パチスロ機の製造コストを抑えることが可能である。
【００４８】
なお、図において６０４は、第１の板材７を取り外す際に指等を入れるための空間であり、嵌合溝６の長手方向に向いた両端側において前記段差部６０２を幅方向に広げて形成している
【００４９】
次に、図８において８はメダル回収孔である。即ち、本実施例のパチスロ機用キャビネット１では、メダルの自動回収装置を備えているホールに取り付ける場合に備えて、前記底板２にはメダル回収孔８を形成している。
【００５０】
そして、前記メダル回収孔８は、その上方を第２の板材９で閉鎖し、前記メダル補給孔１０は、その背面側を第３の板材１１で閉鎖している。また、前記第２の板材９は、ネジ等により、前記底板２に着脱自在に装着しており、第３の板材１１は、前記背板５に、ネジ等により着脱自在に装着している。
【００５１】
そのため、本実施例のパチスロ機用キャビネット１を用いたパチスロ機においては、前記第２の板材９及び第３の板材１１を取り外し、メダルの自動回収装置を備えているホールに取り付けた場合においても、回収後に前記第２の板材９及び第３の板材１１を再装着することで、出荷時と同じ状態に戻すことが可能であり、同じくパチスロ機のキャビネットとして再利用することができ、パチスロ機の製造コストを抑えることが可能である。
【００５２】
但し、本考案のパチスロ機用キャビネット１では、必ずしも底板２をこのように構成する必要はなく、図１に示すように、単に取付孔４０１を有する構成としてもよい。
【産業上の利用可能性】
【００５３】
本考案のパチスロ機用キャビネットは、組み立てを容易にするとともに、それによりパーツでの保管、運搬を可能にして保管、運搬の際の占有スペースを少なくすることで、保管、運搬に要するコストを抑えることを可能としているため、背板、左右側板、底板、天板で構成されるパチスロ機用キャビネットの全般に適用可能である。
【図面の簡単な説明】
【００５４】
【図１】本考案のパチスロ機用キャビネットの実施例の斜視図である。
【図２】本考案のパチスロ機用キャビネットの実施例の分解斜視図である。
【図３】本考案のパチスロ機用キャビネットの実施例における背板と左右側板の関係を説明するための図である。
【図４】本考案のパチスロ機用キャビネットの実施例における背板と左右側板の関係を説明するための図である。
【図５】本考案のパチスロ機用キャビネットの実施例における背板と左右側板の関係を説明するための図である。
【図６】本考案のパチスロ機用キャビネットの実施例の他の構成を示す斜視図である。
【図７】本考案のパチスロ機用キャビネットの実施例における取付金具を説明するための図である。
【図８】本考案のパチスロ機用キャビネットの実施例における底板の他の構成を説明するための図である。
【図９】本考案のパチスロ機用キャビネットの実施例における底板の他の構成を説明するための図である。
【符号の説明】
【００５５】
１    パチスロ機用キャビネット
２    底板
３    側板
３０１    挿入孔
４    天板
４０１    取付孔
５    背板
６    嵌合溝
６０１    嵌合孔
６０２    段差部
６０３    ネジ孔
６０４    取り外し用の空間
７    第１の板材
７０１    嵌合部
７０２    係止部
７０３    取付孔
７０４    ネジ孔
８    メダル回収孔
９    第２の板材
１０    メダル補給孔
１１    第３の板材
１２    受け側の取付金具
１２０１    受入孔
１２０２    通過溝
１３    挿入側の取付金具
１３０１    基端部
１３０２    胴部
１３０３    挿入部
１３０４    ストッパー部
１５    テーパー面
１６    シート材
【図１】
0003145415.tif 000003
【図２】
0003145415.tif 000004
【図３】
0003145415.tif 000005
【図４】
0003145415.tif 000006
【図５】
0003145415.tif 000007
【図６】
0003145415.tif 000008
【図７】
0003145415.tif 000009
【図８】
0003145415.tif 000010
【図９】
0003145415.tif 000011